Podtech/llm-jp-corpus-v4-ja_patent huggingface dataset:
(57)【要約】【課題】大地震時においてもブレースの引張り破断、座屈破壊の無い、振動エネルギー吸収の出来る摩擦減衰機構付きブレース架構を提供する。【解決手段】柱梁架構内に組み込んだＸ字形状ブレース４の交点にエ字形摩擦部３を取り付け、エ字形に組まれた部材５と部材６のボルト孔は円孔に、部材７のボルト孔は部材軸と平行な長円孔にすることで、エ字形摩擦部は自由な変形が可能となり、交点のボルトに締め付け力を与えると変形時に回動と摺動による摩擦力が起きて、Ｘ字形ブレースには締め付け力にみ合う軸力が生じ、同時に振動エネルギーが吸収される。【選択図】      図１
2004225506.tif 000002
【特許請求の範囲】
【請求項１】
Ｘ字形状ブレースと、その交差部に回動と摺動による変位吸収と摩擦減衰機構を設置した、摩擦減衰機構付きＸ形ブレース。
【発明の詳細な説明】
【０００１】
【発明の属する技術分野】
この発明は、建物の柱梁架構内に摩擦減衰機構付きＸ形ブレースを組み込み、地震等の振動エネルギー吸収能力を有するブレース構造に関するものである。
【０００２】
【従来の技術】
従来のブレースは柱梁架構内にＸ字ないしＶ字形状に部材を組み込み、引っ張り、圧縮の軸力で抵抗させている。
【０００３】
【発明が解決しようとする課題】
建物が水平変位した時のブレースの軸力は、水平変位に比例をして増大し、ブレース部材の耐力に比較して過大になりがちで、引っ張り破断や座屈破壊を起こしやすい。
【０００４】
ブレース両端部の取り付けプレート、ボルトは、この部分での破断、座屈を避けるために十分な剛性、耐力を持たせる必要がある。
【０００５】
ブレースを圧縮の軸力に効くように用いた場合、座屈を避けるには細長比の小さい断面にする必要があり、断面２次半径の大きな閉鎖形や幅広の部材を採用しなければならない。
【０００６】
ブレースの組み込まれる柱梁架構には、ブレース軸力に比例した大きな応力が生じることから、剛性、耐力の高いものとしなければならない。
【０００７】
ブレース部材は塑性域での抵抗範囲が狭いことから、振動エネルギーの吸収能力はあまり無く、靭性性能の劣る架構となる。
【０００８】
本発明は、これらの欠点を解決するためになされたもので、Ｘ字形のブレースの交差部に変位吸収と摩擦減衰を兼ね備えた機構を設置することで建物の耐震性能の向上を計った。
【０００９】
【課題を解決するための手段】
柱梁架構にＸ字形状のブレースを組み込み、Ｘ字の交点に変位吸収と摩擦減衰機能のあるエ字形摩擦部３を取り付け、４本に分かれたブレースを連動させる。
【００１０】
エ字形摩擦部３は縦鋼板（部材５）と、下部水平鋼板（部材６）との交点の回動と、上部水平鋼板（部材７）との交点の回動、摺動とで、柱梁架構の水平変位に追随する。
【００１１】
部材５と部材６，７との交点のボルトは適当な強さで締め付けて、変形時にはこの締め付け力で摩擦力を起こし、振動エネルギーの吸収をし、ブレースに軸力を生じさせる。
【００１２】
【発明の実施の形態】
以下、本発明の実施の形態について説明する。
【００１３】
柱梁架構内に組み込まれるブレース４は交点にエ字形摩擦部３を取り付け、直線状になるように部材６，７の先端部と柱梁架構の隅とを繋ぐ。
【００１４】
摩擦部は部材５，６，７をエ字形状に組み、各部材の交点はボルト１本で締め付けて、回動と摺動が可能なようにする。
【００１５】
部材５と部材６のボルト孔は円孔として部材相互の回動を可能とし、部材７のボルト孔は部材軸に平行な長円孔にして部材５，７の相互の回動と摺動を可能とする。
【００１６】
部材５と部材６，７交点のボルトに締め付け力を与えないと、柱梁架構に水平変位が起きても、ブレースには軸力が発生しない機構となっている。
【００１７】
部材５と部材６，７交点のボルトに締め付け力を与え、柱梁架構に水平変位が起きると、部材５、６の交点には回動、部材５、７の交点には回動と摺動による摩擦力が生じ、ブレースには締め付け力に比例した軸力が生じる。
【００１８】
地震力等による繰り返しの柱梁架構の水平変位に連動して、エ字形摩擦部３には連続的な回動と摺動が起きることから、連続して振動エネルギーを吸収する。
【００１９】
エ字形摩擦部３のブレース取り付け位置４点を結ぶ四角形と、柱梁架構ブレース取り付け位置４点を結ぶ四角形とは相似形になるが、その比を大きくしていくとエ字形摩擦部の回動と摺動量は大きくなり、振動エネルギーの吸収量は増大する。
【００２０】
部材５，６，７は複数の鋼板を重ねることで摩擦面を多くし、摩擦抵抗力を増大させることが可能である。
【００２１】
エ字形摩擦部３のボルト締め付け力は長期に亘って変動の無いようにする必
要があり、このためバネ座金や皿バネを利用する。
【００２２】
摩擦面は安定した均一な摩擦抵抗力が得られるように、表面処理をしたステンレス材や鍍金金属を採用する。
【００２３】
【発明の効果】
柱梁架構内に組み込まれたブレースは、通常の引っ張りブレースと同様に丸鋼や帯鋼でも可能となる。
【００２４】
Ｘ字形に組まれたブレースは相互が連動することで、繰り返される左右の変形に対してエ字形摩擦部３の振動エネルギーの吸収は連続して生じる。
【００２５】
エ字形摩擦部３のボルトの締め付け力で回動と摺動の摩擦力が調整できることから、ブレースの水平剛性や減衰力が適切な値に決められる。
【００２６】
エ字形摩擦部３の回動と摺動摩擦力で振動エネルギーの吸収をし、建物構造体への地震、暴風による振動に対する減衰力を大きくすることができる。
【図面の簡単な説明】
【図１】本願発明の形態を概略的に示したもので、（ａ）は摩擦減衰機構付きＸ形ブレースの概要図、（ｂ）はエ字形摩擦部３の姿図、（ｃ）は孔形状を示す。
【図２】架構が右方向へ水平変位をした時の状態を概略的に示したもので、（ａ）は摩擦減衰機構付きＸ形ブレースの概要図、（ｂ）はエ字形摩擦部１３の変形状態で、部材１５と部材１６、１７のボルト締め付け部の回動と摺動を示している。
【図３】エ字形摩擦部１３とブレース１４との取り合いを示した姿図である。
【符号の説明】
１，１１  柱            ２，１２  梁          ３，１３  エ字形摩擦部
４，１４  ブレース      ５，１５  縦鋼鈑      ６，１６  下部水平鋼鈑
７，１７  上部水平鋼鈑        ８  円孔              ９  長円孔
【図１】
2004225506.tif 000003
【図２】
2004225506.tif 000004
【図３】
2004225506.tif 000005
(57)【要約】【目的】電車等がレールの連結部分を通過する時発生する、ゴトゴトンゴトゴトンと言う騒音と振動を低減し、騒音公害の防止を図ること。【構成】図１に示す様にレールの端を斜めに切断し、レールとレールの隙間がレールの長さ方向に対して斜めになるよう連結する。【選択図】    図１
2004225512.tif 000002
【特許請求の範囲】
【請求項１】
鉄道用レールを斜めに切断し連結する方法。
【発明の詳細な説明】
【０００１】
【産業上の利用分野】
この発明は、鉄道用レールの連結方法を改善することにより電車等の走行時の騒音及び振動の低減を図るものである。
【０００２】
【従来の技術】
従来より、鉄道用のレールの連結はレールを長さ方向に対して直角に切断し、夏場の熱膨張を考慮してレールとレールの間を数ミリ間隔を開けて連結されている。当然その隙間もレールの長さ方向に対して直角である。そのため電車等がレールの連結部分を通過する時、レールの隙間に車輪が落ち込み、ゴトゴトンゴトゴトンという電車等の特有の騒音と振動を発生している。
【０００３】
【発明が解決しようとする課題】
イ．電車等がレールの連結部分を通過するとき、レールの隙間に車輪が落ち込むために生じるゴトゴトンゴトゴトンと言う騒音や振動は鉄道線路沿いの住民に不快感や苦痛を与えている。
ロ．又、振動により電車その物の故障頻度を高めたり、線路の枕木、レール、レール固定部品等の劣化を早めている。
本発明は、以上の欠点を解決するために考案されたものである。
【０００４】
【課題を解決するための手段】
図１に本出願の連結方法を、図２に従来の連結方法を平面図で示す。従来の方法で
2004225512.tif 000003
願の連結方法ではレールの長さ方向に対して斜めに切断して連結する。この時、切断
2004225512.tif 000004
範囲が好ましい。
又、直角に切断する方法以外なら、斜めに切断する方法だけでなく、曲線やギザギザ等に切断して連結する方法でも効果は得られるが、加工のし易さ等、斜め切断方式が現実的である。
【０００５】
【作用】
鉄道用レールを本発明の方法で連結することにより、連結部分に設ける隙間がレールの長さ方向に対して斜めになるため、レールの長さ方向に対して直角となる車輪とレールの接触線とは交差することになり、電車等の車輪は連結部分の隙間に落ち難くなる。その結果、電車等がレールの連結部分を通過する時の騒音や振動を大幅に低減することができる。
【０００６】
【実施例】
以下、本発明の実施例を述べる。
（イ）図１に示す様にレールの端は斜めに切断し連結する。当然レールとレールの隙間も斜めとなる。レールとレールの隙間は平行になるよう、必要な隙間幅を開けて連結する。
2004225512.tif 000005
ように切断するほど）効果は大きい。ただし、あまり角度を小さくしすぎると異
2004225512.tif 000006
１５°の範囲が好ましい。
【０００７】
【発明の効果】
本発明の方法で鉄道用レールを連結することにより、電車等の車輪がレールとレールの連結部分に設けた隙間に落ちなくなるか、落ちても僅かしか落ちなくなり、ゴトゴトンゴトゴトン”という電車等特有の騒音と振動を大幅に低減することができ、騒音による環境問題や、電車及びレールやその付帯設備の劣化に対して大きな効果が得られる。
【図面の簡単な説明】
【図１】本発明のレール連結部分の平面図
【図２】従来の方法のレール連結部分の平面図
【符号の説明】
１  レール
２  連結金具
３  固定用ボルト
４  レールとレールの隙間
【図１】
2004225512.tif 000007
【図２】
2004225512.tif 000008
(57)【要約】〔課題〕従来のユニツトバスの据付方法では、ボンドの接着力のみに頼る耐震方法であつた。本発明は、この課題をより強固な固定方法にするためになされたものである〔解決手段〕コンクリートベース４の底に固定用アンカーボルト５を入れることによつて、直接固定できるようにした。又ボルト１を回転できることにより、ユニツトバスの据付時間の短縮を図れる。【選択図】図１
2004225520.tif 000002
【特許請求の範囲】
【請求項１】
ユニツトバス底板の固定に使用し、固定もでき高さ調整のできるコンクリートベース。
【発明の詳細な説明】
【０００１】
〔発明の属する技術分野〕
本発明は、固定のできるコンクリートベースを使用することにより地震等の耐震に耐えうる施工を施す。
【０００２】
〔従来の技術〕
従来は、ユニツトバス底板に取り付けたボルトを床面に置きボンド等で接着
【０００３】
〔発明が解決しようとする課題〕
従来のユニツトバスの据付方法では、ボンドの接着力のみに頼る耐震方法であつた。
本発明は、この課題をより強固な固定方法にするためになされたものである。
【０００４】
〔課題を解決するための手段〕
コンクリートベース４の底に固定用アンカーボルト５を入れることによつて、
直接固定できるようにした。又ボルト１を回転できることにより、ユニツトバスの据付時間の短縮を図れる。
【０００５】
〔発明の実施の形態〕
以下本発明の実施の形態について説明する。
（イ）。コンクリートベース４の上部にボルト１を打ち込みボルト１の下部にはベアリング玉３で回転しやすくする。
（ロ）。コンクリートベース４の下部にアンカーボルト５を打ち込み固定できるようにする。
【０００６】
〔発明の効果〕
耐震をより強固にでき、取り付け時間の短縮を図る。
【図面の簡単な説明】
【図１】本発明の正面図である。
【図２】本発明の断面図である。
【符号の説明】
１  ボルトＭ１６ｍｍ
２  保護カバー
３  ベアリング玉
４  コンクリートベース
５  アンカーボルト３分
【図１】
2004225520.tif 000003
【図２】
2004225520.tif 000004
(57)【要約】      （修正有）【課題】抗菌、消臭、防汚作用及び環境浄化の効果のある畳表花筵の提供。【解決手段】（１）和紙、合成紙を紙縒りにした畳表花筵染色に天然茶のカテキン、渋柿中のタンニン及び光触媒酸化チタンを加工した畳表の製品。（２）和紙、合成紙を紙縒りに畳表花筵染色、天然藍及び、酸化チタンを加工した畳表の製造方法。具体的には、（１）和紙、合成紙に茶のカテキン柿渋中のタンニン及び酸化チタン（２）和紙、合成紙に天然藍及び酸化チタンを染色加工した紙を用いる。【選択図】なし【特許請求の範囲】
【請求項１】
（１）    和紙、合成紙を紙縒りにした畳表及び、花の染色に茶のカテキン、柿渋中のタンニン及び、光触媒酸化チタンを加工した畳表花筵製品の製造方法
（２）    和紙、合成紙を紙縒りにした畳表及び、花筵の染色に天然藍及び、光触媒酸化チタンを加工した畳表花筵製品の製造方法
【発明の詳細な説明】
［産業上の利用分野］
和紙、合成紙の畳表花筵の染色に茶のカテキン、柿渋中のタンニン及び、酸化チタン、天然藍を使用する事で、抗菌、消臭、防汚作用、製品の強度が２倍以上。人体に無害で環境に良い優れた製品が出来る。
［従来の技術］
現在迄は、主として和紙、合成紙に展着剤を加工した畳表。
［発明が解決しようとする課題］
和紙、合成紙に茶のカテキン、柿渋中のタンニン及び酸化チタン、天然藍を染色に使用する事で、人体無害で環境に良い優れた製品が出来、耐久性は２倍以上長持ちする製品となる。
［課題を解決するための手段］
本発明は和紙、合成紙の畳表花筵の抗菌、消臭、防汚作用及び、無害で環境に良い優れた製品であり、耐久性は２倍以上長持ちする。
［作  用］
和紙、合成紙の畳表花筵が抗菌、消臭、防汚作用及び、製品強度が２倍以上、耐久性に優れた人体無害の製品。
［実施例］    配合表
（１）和紙及び合成紙１００ｋｇに対して
茶のカテキン                ５００ｇ
柿渋中のタンニン            ５００ｇ
酸化チタン                  １００ｇ
以上の配合によって和紙、合成紙を染色する。
（２）和紙及び合成紙１００ｋｇに対して
天然藍                      ３００ｇ
酸化チタン                  １００ｇ
以上の配合によって和紙、合成紙を染色する。
［発明の効果］
抗菌、消臭、防汚作用及び、製品の強度が２倍以上。尚２倍以上長持ちする畳表の製品で環境に優れた製品が出来る。
(57)【要約】      （修正有）【課題】従来の家屋開口部が弱点となっている、家屋の鍵の破壊、雨戸等の破壊による不法侵入犯を防止する。【解決手段】家屋開口部外枠よりも、サイズの大きな家屋開口部遮断装置（家屋開口部外枠部分に設けた振り込み溝と、家屋開口部遮断板より構成される）を、家屋開口部外枠にはめ込む。【効果】家屋開口部が家屋外壁に近い強度を持つ事になり、外部からの不法侵入を阻止し、家屋内における安全を確保する。【選択図】なし【特許請求の範囲】
【請求項１】
家屋開口部の外枠部に切り込み溝を設け、この切り込み溝を含む開口部に遮断装置を設置したもの。
【発明の詳細な説明】
【０００１】
【発明の属する技術分野】建築用建具
【０００２】
【従来の技術】従来の家屋開口部の閉鎖装置としては，鍵、雨戸、格子戸、等があった。
【０００３】
【発明が解決しようとする課題】この発明は近年増加している家屋侵入犯による、犯罪を防止することを目的とし、従来小工具等による、鍵の破壊、雨戸等の破壊による侵入を防止するため、家屋開口部外枠に切り込み溝を設け、溝内を含む開口部全体を充分な強度、および厚さを有する遮断装置を設置することにより、家屋外壁に近い強度を得、家屋内の安全性を高めようとするものである。      。
図１、図２、図３、は従来の家屋開口部の側面図、正
2004225521.tif 000002
が、鍵、雨戸等が小工具によって簡単に破壊され、不法侵入されるという欠点を是正し家屋内の安全性向上を図ろうとするものである。
図４、図５はこの発明の家屋開口部遮断装置の正面図と平面図である、図４においてＣ〜Ｃ’点線の左側部分は、従来の家屋開口部として供する、Ｃ〜Ｃ’点線の右側部分は後述する家屋開口部遮断板の格納庫として供するものである。
2004225521.tif 000003
図４、図５に点線で示された部分は、図６、図７、断面図に示すように家屋開口部外枠に掘り込み溝を設けてあり、この溝内に図８、図９、図１０、に示した家屋開口部遮断板をはめ込んでおく。
通常この家屋開口部遮断板は、図４においてＣ〜Ｃ’点線の右側に移動して運用するが、深夜、家人の不在時等はＣ〜Ｃ’点線の左側に移動して、屋外と家屋内を遮断し家屋内の安全性を確保する、この場合、図８において
2004225521.tif 000004
屋外と家屋内を遮断した場合、点線にて示したように
2004225521.tif 000005
し込み、家屋開口部遮断板を固定するものである。
ここで家屋開口部遮断板を充分な厚さと強度を有するものとすれば、家屋開口部外枠より、家屋開口部遮断板が大きいため、屋外よりこれを破壊、侵入することは極めて困難となり、この特許の目的を達成できるものである。
【０００４】
【課題を解決する為の手段】
新築家屋においては、家屋開口部遮断装置の設置、既設家屋については、家屋開口部の改造を行う。
【０００５】
【発明実施の形態】
本発明は家屋開口部の防犯構造の強化を図り、もって家屋内の安全性を高めるものである。
【０００６】
【発明の効果】
この発明により家屋内の安全性が高められもって社会の安定に寄与できるものである。
【図面の簡単な説明】
図１、図２、図３は従来の家屋開口部の側面図、正面
2004225521.tif 000006
図４、図５はこの発明による家屋開口部遮断装置であ
2004225521.tif 000007
り込まれた溝である。
図８、図９、図１０、はこの発明による家屋開口部遮
2004225521.tif 000008
とし込んで遮断板を固定する。
【符号の説明】
2004225521.tif 000009
断面図表示のため、Ａ〜Ａ’  Ｂ〜Ｂ’を使用した、部分を表示するため、Ｃ〜Ｃ’を使用した。
【図１】
2004225521.tif 000010
【図３】
2004225521.tif 000011
【図４】
2004225521.tif 000012
【図６】
2004225521.tif 000013
【図８】
2004225521.tif 000014
【図９】
2004225521.tif 000015
【図１０】
2004225521.tif 000016
【手続補正書】
【提出日】平成15年4月7日(2003.4.7)
【手続補正１】
【補正対象書類名】図面
【補正対象項目名】全図
【補正方法】変更
【補正の内容】
【図１】
2004225521.tif 000017
【図２】
2004225521.tif 000018
【図３】
2004225521.tif 000019
【図４】
2004225521.tif 000020
【図５】
2004225521.tif 000021
【図６】
2004225521.tif 000022
【図７】
2004225521.tif 000023
【図８】
2004225521.tif 000024
【図９】
2004225521.tif 000025
【図１０】
2004225521.tif 000026
(57)【要約】【課題】引戸本体の開放動作をモータなどの駆動源により助けるパワーアシスト型引戸に関するものであり、開放者の意志により、引き手を引く力を加減することにより、ゆっくり開けたり、速く開けたり、また、途中で止めるといった動作が、駆動部の助けによって軽い力により通常の引戸と同様に行うことができる具体的手段を提供する。【解決手段】引戸本体１の引き手３に圧力センサ４を設け、前記引戸本体１の開放動作に伴う開放者の手による前記圧力センサ４に加わる開放方向の圧力の度合いに応じて、前記引戸を開放方向に駆動する駆動源５の駆動力を変化せしめたことを特徴とする。【選択図】  図１
2004225423.tif 000002
【特許請求の範囲】
【請求項１】
引戸の引き手に圧力センサを設け、前記引戸の開放動作に伴う開放者の手による前記圧力センサに加わる開放方向の圧力の度合いに応じて、前記引戸を開放方向に駆動する駆動源の駆動力を変化せしめたことを特徴とするパワーアシスト型引戸。
【発明の詳細な説明】
【０００１】
【発明の属する技術分野】
本発明は、引戸本体の開放動作をモータの駆動源により助けるパワーアシスト型引戸に関するものである。
【０００２】
【従来の技術】
従来、重い引戸は高齢者や身体障害者にとつては負担となる場合も多く、そのため引戸近傍に設けられたスイッチやリモコンスイッチを投入することにより自動的に引戸を開放する自動引戸や、引戸を所定の位置まで開けると、その開放動作を検知したセンサからの検知出力によりモータが駆動され、その駆動力により引戸を開放するパワーアシスト型の引戸が考えられている（例えば、特許文献１参照。）。
【０００３】
【特許文献１】
特開２００１−３１１３５８号公報
【０００４】
【発明が解決しようとする課題】
しかしながら、前述のように開放動作の初期に、スイツチを投入するとか、引戸を少しだけ開けるとかの動作を行うのみで、以後は自動的に引戸が開放されるという構成は、生活者の引戸の開閉という生活行為をほぼ完全に奪ってしまうものであり、好ましいものではない。特に、リハビリ途中の人に対しては、大きな負担に成らない限りこのような生活行為を奪うことは好ましいことではない。
【０００５】
【課題を解決するための手段】
前記課題を解決するために、本発明のパワーアシスト型引戸は引戸の引き手に圧力センサを設け、前記引戸の開放動作に伴う開放者の手による前記圧力センサに加わる開放方向の圧力の度合いに応じて、前記引戸を開放方向に駆動する駆動源の駆動力を変化せしめたことを特徴とするパワーアシスト型引戸であり、引戸を開ける際の引き手に加わる力に応じた駆動力が引戸に加わるため、開放者の意志通りにゆっくり開けたり、早く開けたり、途中で止めるといったような通常の引戸の使用、動作を軽い力で行うことができるものである。
【０００６】
【発明の実施の形態】
本発明の請求項１記載の発明は、引戸の引き手に圧力センサを設け、前記引戸の開放動作に伴う開放者の手による前記圧力センサに加わる圧力の度合いに応じて、前記引戸を開放方向に駆動する駆動源の駆動力を変化せしめたことを特徴とするパワーアシスト型引戸であり、引戸を開ける際の引き手に加わる力に応じた駆動力が引戸に加わるため、使用者の意志通りにゆっくり開けたり、早く開けたり、途中で止めるといったような通常の引戸の使用、動作を軽い力で行うことができるものである。
（実施の形態）
以下に、本発明の請求項１に記載された発明の実施形態について、図面を用いて説明する。
図１は本発明の実施形態のパワーアシスト型引戸の構成を示すブロック図であり、１は引戸本体であり、駆動輪２によりレール（図示せず）上を走行して引戸本体１の開閉が行なわれるように構成されている。
３は引戸本体１に設けられた引き手であり、その引き手３には圧力センサ４が配置されており、開放者が前記引き手３に手を掛けて、引戸本体１を開放方向に引くと、その引く力に応じた出力が発生するように構成されている。５は前記駆動輪２を駆動するモータを内蔵する駆動部であり、前記圧力センサ４の出力に応じて制御部６を介して前記駆動輪２を駆動するように構成されている。
すなわち、開放者が前記引き手３に手を掛けて、引戸本体１を開放方向に引くと、その引く力を前記圧力センサ４が検知し、その引く力に応じた速度で前記引戸本体１は駆動部５により開放方向に駆動されるものである。したがつて、開放者の意志により、引き手３を引く力を加減することにより、ゆっくり開けたり、速く開けたり、また、途中で止めるといった動作が、駆動部５の助けにより軽い力により通常の引戸と同様に行うことができるものである。
【０００７】
【発明の効果】
以上のように本発明によれば、開放者の意志により、引き手３を引く力を加減することにより、ゆっくり開けたり、速く開けたり、また、途中で止めるといった動作が、駆動部の助けによって軽い力により通常の引戸と同様に行うことができるものであり、開放者の引戸の開閉という日常の生活行為を完全に奪うことなく、高齢者や身体障害者にとって、時に負担となる引戸の開閉を円滑に行うことができる。
【図面の簡単な説明】
【図１】本発明の実施の形態におけるパワーアシスト型引戸の構成を示すブロック図
【符号の説明】
１  引戸本体
２  駆動輪
３    引き手
４    圧力センサ
５  駆動部
６  制御部
【図１】
2004225423.tif 000003
(57)【要約】【課題】強風の中で、架空送電線鉄塔内部の狭い場所から、仮設足場用の長いパイプや丸太を吊り上げる作業を、安全に行う為の、円錐カバー付き吊り上げ用縦長袋を提供する。【解決手段】縦長袋（１）の上部にロープ（５）を設け、ロープ（５）とフック（３）を有する底面（６）の下部に円錐カバー（２）を装着したことを特徴とする。【選択図】    図１
2004225500.tif 000002
【特許請求の範囲】
【請求項１】
縦長袋（１）の上部にロープ（５）を設け、ロープ（５）とフック（３）を有する底面（６）下部に円錐カバー（２）を装着した円錐カバー付き吊り上げ用縦長袋。
【発明の詳細な説明】
【０００１】
【発明の属する技術分野】
この発明は、架空送電線鉄塔内部の狭い場所で、仮設足場用の長いパイプや丸太を、吊り上げる作業に使用する為の吊り上げ用具に関するものである。
【０００２】
【従来の技術】
従来より仮設足場用の長いパイプや丸太の吊り上げ作業は、上部をロープで結束して下部を工具用の袋に入れて、荷上げ作業を行っていた。
【０００３】
【発明が解決しようとする課題】
これは次のような欠点があった。
（イ）  鉄塔の内部で、長いパイプや丸太を横にして、結束ロープや工具用の袋から取り外す為、非常に困難であった。
（ロ）  工具用の袋が短い為、抜け落ちる危険があった。
（ハ）  強風の中で、吊り下ろしをするときに、鉄塔内部の水平部材に引っ掛かる危険があった。
本発明は、これらの欠点を除くためになされたものである。
【０００４】
【課題を解決するための手段】
縦長袋（１）の上部にロープ（５）を設け、そのロープ（５）を開口部（４）から下部底面（６）の外側まで貼り付ける。
そして、フック（３）を有するロープ（５）を設け、そのロープ（５）を覆うように底面（６）に円錐カバー（２）を装着する。
本発明は、以上の構成よりなる円錐カバー付き吊り上げ用縦長袋である。
【０００５】
【発明の実施の形態】
以下、本発明の実施の形態を説明する。
（イ）  縦長袋（１）の上部に帯状のロープ（５）を設ける。
（ロ）  帯状のロープ（５）を開口部（４）から下部底面（６）の外側まで貼り付ける。
（ハ）  底面（６）下部にフック（３）を有する帯状のロープ（５）を設ける。（ニ）  底面（６）下部に帯状のロープ（５）を覆うように円錐カバー（２）を装着する。
本発明は以上のような構造で、これを使用するときは、縦長袋（１）の上部ロープ（５）に吊り上げ用ウインチのフック（７）を取り付け、下部のフック（３）に安全用の誘導ロープ（８）を装着する。
【０００６】
【発明の効果】
本発明を使用することによって、仮設足場用の長いパイプや丸太を結束する必要がない為、パイプや丸太の出し入れが容易である。しかも、強風が吹いても鉄塔内部の水平部材等に引っ掛からない為、安全作業ができる。
【図面の簡単な説明】
【図１】本発明の斜視図である。
【図２】本発明の分解斜視図である。
【図３】本発明の使用状態を示す斜視図である。
【符号の説明】
１  縦長袋
２  円錐カバー
３  フック
４  開口部
５  ロープ
６  底面
７  ウインチのフック
８  誘導ロープ
【図１】
2004225500.tif 000003
【図２】
2004225500.tif 000004
【図３】
2004225500.tif 000005
(57)【要約】      （修正有）【課題】自然落下による衝撃で地面に食い込んだ削孔刃とその内部に採りこまれた土砂を持ち上げてくる間に、孔の中に落ちてしまったり、土質によっては、刃内側にへばりついていずれも削孔能率を低下させたりした。【解決手段】削孔刃の内部に採りこまれた土砂を横方向に圧縮して固めるために削孔刃４Ａを刃先に向けて取付直径が狭くなるように配置して地面に食い込んだときに直径方向にひろがり、刃を引き上げるときにはふたたびもとの直径に戻るような土質に応じた取り替え可能な剛性を有する刃をもち、縦方向では、弾性体６に抗して削孔土砂を圧縮し排土時には、刃４Ａにへばりついた土砂をすみやかに排出可能とするすり板５をもつことを特徴とした。【選択図】図５
2004225470.tif 000002
【特許請求の範囲】
【請求項１】
下端に複数の槍状の刃をもち、その内側の下方から上方に貫通する空間を形成する削孔部材と、この削孔部材の上端に固定されたパイプと、該パイプのまわりに配置した加減錘とで一体となって地面を削孔する際、前記槍状刃の先端部分が地面に衝突し、食い込むときの衝撃力で、刃全体が外側に押し広がるようにするため刃そのものあるいは刃の先端に適当な角度をあたえた刃を備えておき、衝撃によって刃の内側に採りこまれた削孔土砂を、削孔部材を引き上げたとき孔の中に落ちこぼれないように抱え込めるように、充分な剛性と、削孔土砂の圧力で刃の直径方向への広がりを少なくするため刃の取付け寸法を先端にむかって小さく傾斜させた構造を特徴とする衝撃削孔装置。
【請求項２】
下端に設けた複数の刃に、これらの刃の内側に沿って摺動可能なすり板を有し、衝撃削孔時には刃の内側に採りこまれた土砂を上方からの弾性体で圧縮し固めて落ちこぼれを少なくし、さらに排土時には、このすり板を刃内側に摺動させて刃の内側に密着した土砂を容易に排土する構造を特徴とする衝撃削孔装置。
【発明の詳細な説明】
【０００１】
【発明が属する技術分野】
本発明は、柱の竪穴やパイプの竪穴などを削孔する建設工事に関する。
【０００２】
【従来の技術】
古来、水道工事で用いる長尺の管先に刃を設けたものをある高さから自由落下させた、あるいは上総堀りといわれる竹とそれを巻き取る回転車を削孔時の付勢に利用した、衝撃削孔装置が知られる。またオーガといわれる螺旋刃を回転させて削孔したり、実用新案公告昭４８−３５７１０、特開平１０−３３０１５、実開平０７−３８２５１のような手動式のものが知られている。
【０００３】
しかし、自由落下にしろ回転車の付勢を利用するものにしても大がかりで、短時日の数メートル以内の削孔には不向きであった。また、手動式の市販の削孔工具であって持ち上げて下方へ加勢して衝撃削孔するものは、簡便だが柄の構造上数メートルの削孔には不充分であった。
【０００４】
動力を用いる削孔は、その動力源の確保や、自走式の場合は作業スペースに制限があるという問題があった。
【０００５】
たとえ動力が得られても、電動式にしろエンジン式にしろ工具と組み合わせても、オーガのような回転式では土中の岩石に突き当たったときの衝撃は大きく手動で扱うには危険性を無視できなかった。
【０００６】
【発明が解決しようとする課題】
解決しようとする問題点は、削孔によって取り除こうとする土砂を取りこぼさないようにすることと、削孔刃の内側に密着した土砂を速やかに排土することにある。
【０００７】
【課題を解決するための手段】
本発明は、落下エネルギーを地面あるいは地中にむけた複数枚の刃に与え、その衝撃力を削孔に用いる、削孔による土砂が刃内部から孔の中に落ちこぼれないようにするため、衝撃によって直径方向に刃が開くように剛性を有した刃先に斜面を設け、刃内部に採りこまれた該土砂を削孔刃と一緒に持ち上げるときに、刃の弾性により元の取付位置にもどるように圧縮して抱え込み、さらに排土のために設けた弾性体で該土砂を上方から下方に押し出すように圧縮するすり板が、土砂量に比例してこれを固め排土時には密着した該土砂をすり落とす作用を持つ構造とした。
【０００８】
【発明の実施の形態】
持ち運びが簡便で、外筒の内側を削孔刃がロープで持ち上げられロープを放して自然落下させるときの衝撃で削孔する。
【０００９】
【実施例】
図１は、本発明装置の１実施例の全体図である。機能を示しボルトやピンなど些末な部材は、以下一部省略してある
【００１０】
外筒は、滑車を支えるのと削孔刃が同一場所を削孔するための位置決めの役目と土質によっては削孔時の孔の崩落を防ぐために削孔とともに埋め込む目的に用いる。
【００１１】
深い孔で土質により外筒を埋め込む場合は、外筒を継ぎ足して削孔できるように外筒の下端は外周を、上端は内周を面取りして継ぎ足しの場合に芯だしが容易にできるようにし、外筒の上端に取り付ける滑車筒は、外筒から取り外せる構造であることを図４で示す。三ツ又を組める場合は、べつに用意した滑車が用いられる。
【００１２】
図２は、図１の断面図である。  図３は、削孔刃が、ロープと滑車によって外筒の上辺に持ち上げられ滑車筒の外に取り出された状態を示す。
【００１３】
図５は、削孔刃の断面図で刃の内側に密着した土砂をそぎ落とすための適当なすり板が土砂の量に応じて押し上げられ弾性体を圧縮して土砂に圧力を加えすり板と一体となったラックが爪と係合している、削孔刃群にあるばねで押さえられた爪をラックから開放すれば、圧縮された弾性体の反力により、すり板はいっきに開放され排土できる構造を示す
【００１４】
図６は、図５と同様に刃先にむけて取付け直径が狭くなるように、そして土質により交換可能な削孔刃の他の実施例を示す、刃先が地面に食い込むとき、刃が直径方向外側に開く力は、図５では、刃先に与えた適当な斜面角度で、図６では刃先を適当な角度で曲げた斜面で得ていることを示す。
【００１５】
【発明の効果】
以上説明したように本発明の削孔刃は土質に応じてあるいは摩滅したとき取替えができ、装置全体も狭い場所に持ち込みができ、動力を必要としないため熟練者を必要としないで簡便に削孔できる効果がある。
【図面の簡単な説明】
【図１】全体図（実施例１）
【図２】全体断面図
【図３】削孔刃取り出し図
【図４】滑車筒
【図５】削孔刃断面図
【図６】（実施例２）の削孔刃
【符号の説明】
１    外筒
２    滑車筒
３    ロープ
４    刃群
４Ａ  刃
４Ｂ  刃
５    すり板
６    弾性体
７    ばね
８    すり板筒
９    爪
１０    ラック
１１    滑車
【図１】
2004225470.tif 000003
【図２】
2004225470.tif 000004
【図３】
2004225470.tif 000005
【図４】
2004225470.tif 000006
【図５】
2004225470.tif 000007
【図６】
2004225470.tif 000008
(57)【要約】【課題】本発明は、新築家屋は勿論、既存の家屋にも安価な費用で容易に設置でき、設置後の燃費や維持費も安く、且安全な消雪装置を提供しようとするものである。【解決手段】温風器からの温風を屋根裏に送風自在とし、屋根裏の換気は戻りフアンにより循環とし、この屋根裏と温風器間の空気の循環による空気温度を検知し温風器の燃焼操作を制御自在とし、屋根裏のガラリは冬期間は閉じ、夏期間は開放自在とした屋根消雪装置である。【選択図】  図１
2004225412.tif 000002
【特許請求の範囲】
【請求項１】
温風器からの温風を屋根裏に送風自在とし、屋根裏の換気は戻りフアンにより循環とし、この屋根裏と温風器間の空気の循環による空気温度を検知し温風器の燃焼操作を制御自在とし、屋根裏のガラリは冬期間は閉じ、夏期間は開放自在とした屋根消雪装置。
【発明の詳細な説明】
【０００１】
【産業上の利用分野】
本発明は、屋根の消雪装置に関する。
【０００２】
【従来の技術及びその問題点】
従来屋根の消雪装置に関しては、屋根材の裏或は上面に温水パイプを敷設し循環させる方法、電熱を利用する方法、屋根材の下に空気流路を設けて温風を送風する方法などがある。
【０００３】
然し乍、上記何れの方法も家屋の新築時とか大改修時に設置することを前提としたもので、既存の建物に設置することは費用も嵩張り、更に、冬季間のランニングコストも１ヶ月２万円から１０万円にもなり、いまだ余り普及せず雪下ろしと言う手作業に頼っているのが殆どである。
【０００４】
【発明が解決しようとする課題】
そこで本発明は、新築家屋は勿論、既存の家屋にも安価な費用で容易に設置でき、設置後の燃費や維持費も安く、且安全な消雪装置を提供しようとするものである。
【０００５】
【課題を解決するための手段】
温風器からの温風を屋根裏に送風自在とし、屋根裏の換気は、戻りフアンにより強制的に温風器温風吸気への送風を自在とし、この戻り送風による空気温度を検知して温風器の燃焼操作を制御自在とし、屋根裏のガラリ（換気口）は冬期間は閉じ、夏期間は開放自在としたものである。
【０００６】
本発明を図示の実施例により詳記すると、強制給排気方式の石油温風器、強制排気方式の石油温風器、ガス温風器等室内温度を感知、燃焼制御方式で火災の危険がなく排気ガスが屋外へ排出される一酸化炭素中毒の危険のない温風器１からの温風をアルミ蛇腹製などのダクト２により屋根裏３と、必要により軒下４にも設置し、ダクト２は要所要所に穴２’（入り口より遠い方を大きい穴とするか、同一径としてループとする。）を開けていて温風が屋根裏に均一に廻るようになっている。
【０００７】
屋根裏３の換気は、戻りフアン５により排気を温風器１に送風して、この戻り換気による空気温度を温度センサー６で検知して該温風器１の燃焼操作が出来るようになっており、これによって屋根裏１の温度を制御するようになっている。
【０００８】
屋根裏１のガラリ（換気口）７は冬期間は閉じ、夏期間は開放自在とし、遠隔操作により室内または屋外にて開閉操作が可能な構造としてある。更に、外気温感知の自動操作機や形状記憶合金バネ等による開閉器の応用が可能である。
【０００９】
軒下４にダクト２を配置し温風を送るときは、軒下１部分に断熱材による覆い８を設け、この覆い８で囲まれた空間を通じ屋根裏３全体に送風、換気するようにする。ガラリ７も設けるとよい。この軒下空間に送られた温風は３に設置された換気ファンにより強制的に温風器裏面に戻り換気されるようにしておくが、夏期間は屋根裏３と換気ファンからのダクトに取付けたダンパー（ダクト送風方向切替え器）を連通させておけば屋外への換気が出来る。
【００１０】
図中９はオイルタンク、１０はオイルサーバーで温風器１への給油を自動とすることにより２階へのオイル供給管理が楽になる。尚、平屋建てや１階に当該温風器を設置し、ダクトにて２階屋根裏への温風供給及び戻り換気ダクトを設置する場合は不要である。
【００１１】
【作用】
本発明は、以上のようになるもので、降雪時には温風器１の温風を屋根裏３、軒下４の空間に送風すると同時に戻りファン５をも作動させ、この戻り換気の空気温度を検知して温風器１の燃焼の強弱及び入切を調節する。
【００１２】
【効果】
本発明は叙上のように、温風器からの温風を屋根裏に送風自在とし、屋根裏の換気は戻りフアンにより排気を自在とし、この排気による空気温度を検知し温風器の燃焼操作を制御自在とし、屋根裏のガラリは冬期間は閉じ、夏期間は開放自在としたので、下記のような効果がある。即ち
▲１▼温風は乾燥した空気の為、屋根裏に結露の生じる恐れがない。
▲２▼温風器、オイルサーバ―等は比較的安く買い求めることが出来、安価に設置できる。
▲３▼既存の建物にも容易に設置できる。
▲４▼北側の裏面など雪の解け難い部分などには優先的にダクトを持っていき加温できる。
▲５▼常に屋根裏からの排気による空気温度を検知しているので必要最小限の燃費ですみ、一冬でも通常の家屋で１．５万円程である。
▲６▼機械が壊れても室内等に温風器を設置している為、交換や修理が容易である。
▲７▼温風器吹出し口での温度が８０℃程度と、火事の心配がない。
▲８▼屋根裏の温度を１０〜２０℃程度に制御することで、降雪と同時に融雪する既存のシステムに比べ、屋根裏から屋外への放熱が低い為、消雪に時間はかかるがランニングコストを低く抑える効果がある。
▲９▼更に、夏期間は屋根裏からの戻り換気装置にダンパーを取り付け、屋外への強制換気により屋根裏の太陽熱による温度上昇を抑制し、屋根裏直下の室温上昇の抑制効果が期待される。
【図面の簡単な説明】
【図１】本発明に係る屋根消雪装置説明図。
【図２】ダクトの説明図。
【符号の説明】
１は温風器
２はダクト
２’は穴
３は屋根裏
４は軒下
５は戻りファン
６は温度センサー
７はガラリ
８は覆い
９はオイルタンク
１０はオイルサーバー
【図１】
2004225412.tif 000003
【図２】
2004225412.tif 000004
(57)【要約】【課題】従来の夜露や霜を防止するカーブミラーは、ファンやダクト等の装置及び電源設備が必要であり、製造コストの上昇、メンテナンスの必要、製品の大型化等の問題があった。この発明は電源設備やメンテナンスが不要で構造が簡単な、結露や凍結を防止するカーブミラーを提供することを目的とする。【解決手段】この発明のカーブミラーは、下端を地中に埋設し、上端にミラーを取り付けた支柱１内に、下端２ａで地中の熱を吸熱するヒートパイプ２を配置し、該ヒートパイプ２の上端２ｂで吸熱した地中の熱を伝熱手段５により前記ミラー４へ伝熱するようにした。【選択図】        図１
2004225474.tif 000002
【特許請求の範囲】
【請求項１】
下端を地中に埋設し、上端にミラーを取り付けた支柱内に、下端で地中の熱を吸熱するヒートパイプを配置し、該ヒートパイプの上端で吸熱した地中の熱を伝熱手段により前記ミラーへ伝熱するようにしたことを特徴とするカーブミラー。
【請求項２】
前記支柱内の支柱とヒートパイプの間に断熱材を封入したことを特徴とする請求項１記載のカーブミラー。
【請求項３】
ヒートパイプの下端を地中に埋設し、ヒートパイプ上端にミラーを取り付け、該ヒートパイプの地上への露出部に断熱手段を施したことを特徴とするカーブミラー。
【発明の詳細な説明】
【０００１】
【発明の所属する技術分野】
この発明は、主にカーブミラーの結露や凍結の防止を目的とする装置に関する。
【０００２】
【従来の技術】
従来のカーブミラーにおいては、ファンと、鏡面上部に送風口を取り付け、ファンによって引き起こされる風を鏡面に送って夜露や霜を飛散させることで、カーブミラー鏡面に夜露や霜が凍結するのを防止するようにしている。（例えば、特許文献１参照）。
【０００３】
【特許文献１】
特開２０００−６４２２９号公報（第２頁、図２）
【０００４】
【発明が解決しようとする課題】
従来の夜露や霜を防止するカーブミラーは、ファンやダクト等の装置及び電源設備が必要であり、製造コストの上昇、メンテナンスの必要、製品の大型化等の問題があった。
【０００５】
本発明は、このようなカーブミラーの課題を解決し、構造が簡単でメンテナンス不要な結露や凍結を防止するカーブミラーを提供することを目的とするものである。
【０００６】
【課題を解決するための手段】
本発明のカーブミラーは、下端を地中に埋設し、上端にミラーを取付けた支柱内に、下端で地中の熱を吸熱するヒートパイプを配置し、該ヒートパイプの上端で吸熱した地中の熱を伝熱手段により前記ミラーへ伝熱するものである。
【０００７】
【発明の実施の形態】
実施の形態１．
以下、本発明の実施の形態１について、図面を参照して説明する。
図１は本発明の実施の形態１による結露や凍結を防止するカーブミラーの側断面図であり、図２はそのＡ−Ａ線部分の断面図である。
【０００８】
図１に示すように、支柱１はその下端１ａを地中に埋設されている。支柱１内部にはヒートパイプ２が設置され、ヒートパイプの下端２ａは支柱外に配置され、地中の熱を吸熱できるようになっている。支柱の上端１ｂには取付具３によりミラー４が取り付けられている。またヒートパイプ２の上端２ｂは銅などの伝熱性の高い材質からなる伝熱手段５と密着しており、さらに伝熱手段５はミラー４の裏面と接続されている。支柱１とヒートパイプ２の間の空間には発泡樹脂等からなる断熱材６が封入されている。
【０００９】
次にこの実施の形態１の作用効果について説明する。
ミラー４はヒートパイプ２及び伝熱手段５を介して常に地中から熱を供給されるため、結露や凍結の発生しやすい冬の夜などにもミラー４の温度を大気の温度より高い温度に保つことができる。そのため、大気中の湿気がミラーで冷やされて液滴化することがなく、カーブミラーの結露や凍結を防止することができる。従って、実施の形態１によれば、ファンや電源設備を用いずにカーブミラーの結露や凍結を防止できるため、安価で省スペースかつメンテナンス不要なカーブミラーと提供することができる。
【００１０】
実施の形態２．
図２は本発明の実施の形態２による結露や凍結を防止するカーブミラーの図であり、図２に示すように、実施の形態２では、ヒートパイプ２は十分に強度を持ったヒートパイプで構成され、支柱を省略している。ヒートパイプ２の下端２ａは地中に埋設され、ヒートパイプ２の上端２ｂは十分な強度を持った伝熱手段４と密着しており、さらに伝熱手段５はミラー４の裏面と接続されている。またヒートパイプ２の地上部２ｃを発泡樹脂等からなる断熱材６で覆っている。
【００１１】
この実施の形態２の構成によれは、実施の形態１で示される効果のほかに、専用の支柱を省略できるので、構成を簡素化でき、さらに安価に提供できる。
【００１２】
【発明の効果】
以上のように、この発明によれば、ファンや電源設備を用いずにカーブミラーの結露や凍結を防止できるため、安価で省スペースかつメンテナンス不要なカーブミラーと提供することができる。
【図面の簡単な説明】
【図１】本発明の実施の形態１を示すカーブミラーの縦断面図である。
【図２】図１のＡ−Ａ線部分の断面図である。
【図３】本発明の実施の形態２を示すカーブミラーの縦断面図である。
【符号の説明】
１  支柱
１ａ  支柱の下端
１ｂ  支柱の上端
２  ヒートパイプ
２ａ  ヒートパイプの下端
２ｂ  ヒートパイプの上端
２ｃ  ヒートパイプの地上部
３  ミラー取付具
４  ミラー
５  伝熱手段
６  断熱材
７  地面
【図１】
2004225474.tif 000003
【図２】
2004225474.tif 000004
【図３】
2004225474.tif 000005
(57)【要約】【課題】従来の塗料  塗材には、耐候性  低臭  高耐久  防藻  防かび  低汚染  透湿  防水効果とたとえられているが、それに加え解毒  消臭  還元  保存  浄化  ろ過  エネルギー上昇  正常化作用で、環境  身体  電磁波遮断に良い街づくりをめざす。【解決手段】木炭  竹炭  木酢液を多機能形単層弾性仕上げ材  単層形弾性仕上げ材  多彩模様仕上げ塗材  内装仕上げ塗材に混ぜ合わせる。その時、木炭竹炭を粉状  粒状に砕き木酢液を入れる。木酢液は、４００から５００倍に薄め３００ｍｌから５００ｍｌ入れ、一と缶に入れて混ぜ合わせる。それを、塗料  塗材として、コンクリート面  モルタル面  セメント面  ＡＬＣパネル  塗り替え改修面に吹き付け塗装  塗り替え施工工事を行う。【選択図】なし【特許請求の範囲】
【請求項１】
多機能形単層弾性仕上げ材  単層形弾性仕上げ材  多彩模様仕上げ塗材  内装仕上げ塗材に木炭  竹炭で粉状  粒状にして木酢液４００倍から５００倍に薄めて塗料  塗材に混ぜ合わせてできた塗装仕上げ用塗料  塗材。
【発明の詳細な説明】
建築吹付け塗り替え塗材  塗料  多機能形単層弾性仕上げ材  単層形弾性仕上げ材  多彩模様仕上げ塗材  内装仕上げ塗材に木炭  竹炭を粉状  粒状に砕き木酢液と混ぜ合わせる。木酢液は４００から５００倍に薄めて混ぜ合わせると臭いも気にならない。木炭  竹炭を入れることにより解毒  消臭  還元  保存  浄化  ろ過  エネルギー上昇  正常化作用が発生すると考えられる。
【０００１】
【発明の属する技術分野】
木炭  竹炭による蒸し焼きによりその煙を冷却して液体化したものを木酢液であるので多機能形単層弾性仕上げ材  単層形弾性仕上げ材  多彩模様仕上げ塗材  内装仕上げ塗材に木炭  竹炭  木酢液を混ぜ合わせてコンクリート面  モルタル面  セメント建材系  ＡＬＣパネル  塗り替え改修面に吹き付け塗装  塗り替え施工工事を行う。
【０００２】
【従来の技術】
従来の木炭  竹炭  木酢液は温度調整  消臭効果  電磁波遮断  鮮度保持  浄水に使われている（非特許文献１参照。）。
また、埋炭としているものもある（非特許文献２参照。）。
【０００３】
【非特許文献１】
牧内泰道著「驚異の木炭健康パワー」日本文芸社出版、２００２年１月３１日、ｐ．１０ｐ．１１
【非特許文献２】
牧内泰道著「驚異の木炭健康パワー」日本文芸社出版、２００２年１月３１日、ｐ．３６−７
【０００４】
【発明が解決しようとする課題】
従来の塗料  塗材には、耐候性  低臭  高耐久  防藻  防かび  低汚染  透湿  防水効果だがそれに加え解毒  消臭  還元  保存  浄化  ろ過  エネルギー上昇正常化作用で環境  身体  電磁波遮断により良い街つくりをめざす。
【課題を解決するための手段】
多機能形単層弾性仕上げ材  単層形弾性仕上げ材  多彩模様仕上げ塗材  内装仕上げ塗材に木炭  竹炭  木酢液を混ぜ合わせコンクリート面  モルタル面  セメント面  ＡＬＣパネル  塗り替え改修面に吹き付け塗装  塗り替え施工工事をおこなう。
【発明の実施の形態】
多機能形単層弾性仕上げ材  単層形弾性仕上げ材  多彩模様仕上げ材  内装仕上げ塗材に、木炭  竹炭を粉状  粒状に砕き木酢液と一緒に混ぜ合わせる。その時木酢液は、臭いが強いので４００から５００倍にして３００ｍｌから５００ｍｌほど一と缶に入れ混ぜ合わせる。
【実施例】
木炭  竹炭を  粉状に砕き木酢液と混ぜ合わせる。その時木酢液は、臭いが強いので４００から５００倍にして３００ｍｌから５００ｍｌほど多機能形単層弾性仕上げ材  単層形弾性仕上げ材  内装仕上げ材に入れ混ぜ合わせ塗料とする。多彩模様仕上げ材の場合粒状の木炭  竹炭を用い木酢液３００から５００ｍｌほど入れ缶に入れて混ぜ合わせる。木炭  竹炭の量は支障のない程度ならよいと思われる。
【発明の効果】
木炭  竹炭  木酢液を入れることにより解毒  消臭  還元  保存  浄化  ろ過  エネルギー上昇  正常化作用が発生し、環境  身体  電磁波遮断に良い。